(57)【要約】  取り外し可能な上部を備えた手持ち式容器本体を有し、可撓性のストローアセンブリが本体内に配置され、本体の外側に曝される、ポンプ作動式供給容器。容器は、水密構成で容器本体または容器上部の少なくとも１つに直接接続され、膜空洞を画定する可撓性かつ弾性的に変形可能な膜を備えた、プライミングバルブポンプアセンブリを含む。膜は、ストローアセンブリの第２の封入ストローチャネルおよび上部ストロー開口部を通る液体の加圧流を誘導する膜陥凹移動経路３０６を有し、かつ、ストローアセンブリの第１の封入ストローチャネルおよび上部ストロー開口部を通る真空および液体の流れを誘導する膜解放移動経路４００を有するように、動作可能に構成される。
2021529644.tif 000002
【特許請求の範囲】
【請求項１】
ポンプ作動式供給容器であって、
底壁および該底壁を取り囲む側壁を有する手持ち式容器本体；
保持された構成で前記側壁の上端と取り外し可能に接続するように動作可能に構成された容器上部；
前記容器本体の前記底壁の近位に配置された下部ストロー開口部を画定し、かつ、第１の封入ストローチャネルを画定する、下部ストロー端部を含む第１の部分、および、前記下部ストロー端部に対向し、前記容器上部の外面の近位に配置された上部ストロー開口部を画定し、かつ、第２の封入ストローチャネルを画定する、末端上部ストロー端部を含む第２の部分を備えた、可撓性ストローアセンブリ；および
水密構成で前記容器本体および容器上部の少なくとも１つに直接接続され、膜空洞を画定する可撓性かつ弾性的に変形可能な膜を備えた、プライミングバルブポンプアセンブリ
を含み、
前記側壁が、
前記上部開口部を画定する上端を有し、
前記底壁とともに、容器の空洞を画定し、
前記膜が、
前記第２の封入ストローチャネルおよび前記上部ストロー開口部を通る液体の加圧流を誘導する膜陥凹移動経路；および
前記第１の封入ストローチャネルおよび前記上部ストロー開口部を通る真空および液体の流れを誘導する膜解放移動経路
を有するように、動作可能に構成される
ことを特徴とする、
ポンプ作動式供給容器。
【請求項２】
前記膜陥凹移動経路は、前記第２の封入ストローチャネルおよび前記上部ストロー開口部を通る液体の加圧流だけを誘導し、前記膜解放移動経路は、前記第１の封入ストローチャネルを通る真空および液体の流れだけを誘導することを特徴とする、請求項１に記載のポンプ作動式供給容器。
【請求項３】
ハウジングがさらに、入口ポートおよび出口ポートを含み、
前記膜陥凹移動経路が、前記膜空洞、前記出口ポート、前記封入ストロー開口部、前記第２の封入ストローチャネル、および互いに流体接続される前記末端の上部ストロー端部、および、前記第１の封入ストローチャネル、前記底部ストロー開口部、および前記容器空洞と流体接続されない前記封入ストロー開口部、を含む
ことを特徴とする、請求項１に記載のポンプ作動式供給容器。
【請求項４】
前記膜解放移動経路が、前記膜空洞、前記入口ポート、前記第１の封入ストローチャネル、前記下部ストロー開口部、および互いに流体接続された前記容器空洞を含み、前記膜空洞は、前記封入ストロー開口部、前記第２の封入ストローチャネル、および前記末端上部ストロー端と流体接続されない
ことを特徴とする、請求項３に記載のポンプ作動式供給容器。
【請求項５】
前記第１の封入ストローチャネル内に少なくとも部分的に配置された第１の一方向逆止弁；および
前記第２の封入ストローチャネル内に少なくとも部分的に配置された第２の一方向逆止弁
をさらに含むことを特徴とする、請求項４に記載のポンプ作動式供給容器。
【請求項６】
前記第１および第２の一方向逆止弁がそれぞれ、平行な流れの向きで、前記可撓性ストローアセンブリの前記第１の部分および前記第２の部分に接続されることを特徴とする、請求項５に記載のポンプ作動式供給容器。
【請求項７】
前記プライミングバルブポンプアセンブリがさらに、前部封入開口部を画定するハウジングを含み、前記可撓性かつ弾性的に変形可能な膜が、前記ハウジングに密閉され前記前部封入開口部に重ね合わされる
ことを特徴とする、請求項１に記載のポンプ作動式供給容器。
【請求項８】
前記容器上部がさらに、
内部に前記ハウジングが配置された封入バルブ開口部を画定する側壁、それぞれ前記プライミングバルブポンプアセンブリのハウジングの入口ポートおよび出口ポートを受容するように形成およびサイズ決定された第１のポート開口部および第２のポート開口部を画定する下壁、および内部に前記第２の部分が配置されたストローチャネル
を含むことを特徴とする、請求項７に記載のポンプ作動式供給容器。
【請求項９】
前記容器上部に選択的に回転可能に接続され、カバー移動経路に沿って回転し、かつ、前記容器上部と共に前記膜および前記可撓性ストローアセンブリの前記第２の部分を封入する閉位置、および、前記膜および前記可撓性ストローアセンブリの前記第２の部分を周囲環境に曝す前記カバー移動経路に沿った開位置を有するように動作可能に構成される、カバー
をさらに含むことを特徴とする、請求項８に記載のポンプ作動式供給容器。
【請求項１０】
ポンプ作動式供給容器であって、
底壁および該底壁を取り囲む側壁を有し、上部開口部を画定する上端を有し側壁ネジがその上に配置された、手持ち式容器本体であって、前記側壁および前記底壁が容器空洞を画定する、手持ち式容器本体；
前記側壁ネジとロックされた関係で選択的に取り外し可能に係合するように動作可能に構成された上部ネジを備えた容器上部であって、封入ストロー開口部を有する、容器上部；
下部ストロー開口部を画定し第１の封入ストローチャネルを画定する下部ストロー端部を含む第１の部分、および、前記下部ストロー端部と対向し、上部ストロー開口部を画定し第２の封入ストローチャネルを画定する末端上部ストロー端部を含む第２の部分、を備えた、可撓性ストローアセンブリ；
第１の一方向逆止弁および第２の一方向逆止弁；および
水密構成で前記容器本体および容器上部の少なくとも１つに直接接続され、前記第１の一方向逆止弁を通って前記可撓性ストローアセンブリの前記第１の部分に直接接続される入口ポート、前記第２の一方向逆止弁を通って前記可撓性ストローアセンブリの前記第２の部分に直接接続される出口ポート、および、膜空洞を画定する可撓性かつ弾性的に変形可能な膜を備えた、プライミングバルブポンプアセンブリ
を含み、
前記膜が、
前記第２の封入ストローチャネルおよび前記上部ストロー開口部を通る液体の加圧流を誘導する膜陥凹移動経路；および
前記第１の封入ストローチャネルおよび前記上部ストロー開口部を通る真空および液体の流れを誘導する膜解放移動経路
を有するように、動作可能に構成される
ことを特徴とする、
ポンプ作動式供給容器。
【請求項１１】
前記下部ストロー開口部が、前記容器本体の前記底壁の近位に配置され、前記上部ストロー開口部が、前記容器上部の外面の近位に配置されることを特徴とする、請求項１０に記載のポンプ作動式供給容器。
【請求項１２】
前記膜陥凹移動経路は、前記第２の封入ストローチャネルおよび前記上部ストロー開口部を通る液体の加圧流だけを誘導し、前記膜解放移動経路は、前記第１の封入ストローチャネルおよび前記上部ストロー開口部を通る真空および液体の流れだけを誘導することを特徴とする、請求項１１に記載のポンプ作動式供給容器。
【請求項１３】
前記膜陥凹移動経路が、前記膜空洞、前記出口ポート、前記封入ストロー開口部、前記第２の封入ストローチャネル、および互いに流体接続される前記末端の上部ストロー端部、および、前記第１の封入ストローチャネル、前記底部ストロー開口部、および前記容器空洞と流体接続されない前記封入ストロー開口部、を含む
ことを特徴とする、請求項１２に記載のポンプ作動式供給容器。
【請求項１４】
前記膜解放移動経路が、前記膜空洞、前記入口ポート、前記第１の封入ストローチャネル、前記下部ストロー開口部、および互いに流体接続された前記容器空洞を含み、前記膜空洞は、前記封入ストロー開口部、前記第２の封入ストローチャネル、および前記末端上部ストロー端と流体接続されない
ことを特徴とする、請求項１３に記載のポンプ作動式供給容器。
【請求項１５】
前記第１および第２の一方向逆止弁がそれぞれ、平行な流れの向きで、前記可撓性ストローアセンブリの前記第１の部分および前記第２の部分に接続されることを特徴とする、請求項１４に記載のポンプ作動式供給容器。
【請求項１６】
前記プライミングバルブポンプアセンブリがさらに、前部封入開口部を画定するハウジングを含み、前記可撓性かつ弾性的に変形可能な膜が、前記ハウジングに密閉され前記前部封入開口部に重ね合わされる
ことを特徴とする、請求項１５に記載のポンプ作動式供給容器。
【請求項１７】
前記容器上部がさらに、
内部に前記ハウジングが配置された封入バルブ開口部を画定する側壁、それぞれ前記プライミングバルブポンプアセンブリのハウジングの入口ポートおよび出口ポートを受容するように形成およびサイズ決定された第１のポート開口部および第２のポート開口部を画定する下壁、および内部に前記第２の部分が配置されたストローチャネル
を含むことを特徴とする、請求項１６に記載のポンプ作動式供給容器。
【請求項１８】
前記容器上部に選択的に回転可能に接続され、カバー移動経路に沿って回転し、かつ、前記容器上部と共に前記膜および前記可撓性ストローアセンブリの前記第２の部分を封入する閉位置、および、前記膜および前記可撓性ストローアセンブリの前記第２の部分を周囲環境に曝す前記カバー移動経路に沿った開位置を有するように動作可能に構成される、カバー
をさらに含むことを特徴とする、請求項１７に記載のポンプ作動式供給容器。
【発明の詳細な説明】
【関連出願の相互参照】
【０００１】
本出願は、２０１８年１０月５日に出願された継続中の米国仮特許出願第６２／７４２，０９０号に対する優先権を主張するものであり、その全体が参照により本明細書に組み込まれる。
【技術分野】
【０００２】
本発明は、概して、携帯型供給容器に関するものであり、より詳細には、手持ち式、携帯型、およびポンプ作動式供給容器に関する。
【背景技術】
【０００３】
多くの個人は、効果的、効率的、かつ安全な態様で自分自身または他人に液体を供給または提供することを必要または所望とする。これは、幼児、高齢者、および障害者に特に当てはまる。ユーザに液体を供給または提供する従来の方法は、器具を使用する工程を含む。これらの従来の方法は、多くのユーザが器具の供給部分を効果的かつ安全に受け取ることができないまたは供給プロセスが面倒な試みであるため、問題がある。
【０００４】
前述の問題に対処するために、いくつかの既知の装置および方法が開発されてきた。ある装置は、Ｑｕｉｇｌｅｙらに発行された特許文献１に例示されるように、逆止弁に流体接続された飲用導管を備えた開放容器の使用を採用する工程を含む。しかしながら、このような装置には依然として問題がある。例えば、これらの装置は、飲用導管内に流体の流れを生成するための推進力を生み出すためにユーザによる吸引を必要とするが、これは多くのユーザが行うことができない。さらに、これらの装置はまた、特にユーザの片手で、ユーザが保持および管理することが困難である。さらに、これらの装置の多くはまた、飲用導管内に流体の流れを生成するための迅速かつ効果的な手段をユーザに提供することができない。
【先行技術文献】
【特許文献】
【０００５】
【特許文献１】米国特許第４，１９６，７４７号明細書
【発明の概要】
【発明が解決しようとする課題】
【０００６】
したがって、上記のような先行技術の問題を克服する必要性が存在する。
【課題を解決するための手段】
【０００７】
本発明は、この一般的なタイプの従来知られている装置および方法の前述の欠点を克服し、効果的かつ効率的に液体をユーザに供給または提供するよう動作可能なポンプ作動式供給アセンブリを提供する。
【０００８】
前述および他の目的を考慮して、本発明によれば、底壁および底壁を取り囲む側壁を有する手持ち式容器本体を有するポンプ作動式供給容器が提供される。側壁は、上部開口部を画定する上端を備え、底壁とともに、容器の空洞を画定する。アセンブリはまた、保持された構成で側壁の上端と取り外し可能に接続するように動作可能に構成された容器上部を備え、容器上部は封入ストロー開口部を有する。ポンプ作動式供給容器はまた、容器本体の底壁の近位に配置された下部ストロー開口部を画定し、かつ、第１の封入ストローチャネルを画定する、下部ストロー端部を含む第１の部分を備えた可撓性ストローアセンブリを含む。ストローアセンブリはまた、下部ストロー端部に対向し、容器上部の外面の近位に配置された上部ストロー開口部を画定し、かつ、第２の封入ストローチャネルを画定する、末端上部ストロー端部を備える第２の部分を含む。ポンプ作動式供給容器はまた、水密構成で容器本体または容器上部のいずれかに直接接続され、膜空洞を画定する可撓性かつ弾性的に変形可能な膜を備えた、プライミングバルブポンプアセンブリを含む。膜は、第２の封入ストローチャネルおよび上部ストロー開口部を通る液体の加圧流を誘導する膜陥凹移動経路を有し、かつ、第１の封入ストローチャネルおよび上部ストロー開口部を通る真空および液体の流れを誘導する膜解放移動経路を有するように、動作可能に構成される。
【０００９】
本発明のさらなる特徴によれば、膜陥凹移動経路は、第２の封入ストローチャネルおよび上部ストロー開口部を通る液体の加圧流のみを誘導し、膜解放移動経路は、第１の封入ストローチャネルを通る真空および液体の流れのみを誘導する。
【００１０】
別の特徴によれば、本発明の実施形態はまた、入口ポートおよび出口ポートを有するハウジングを含み、膜陥凹移動経路は、膜空洞、出口ポート、封入ストロー開口部、第２の封入ストローチャネル、および、互いに流体接続される末端の上部ストロー端部を含み、かつ、第１の封入ストローチャネル、底部ストロー開口部、および容器空洞と流体接続されない封入ストロー開口部を含む。
【００１１】
本発明のさらなる特徴によれば、膜解放移動経路は、膜空洞、入口ポート、第１の封入ストローチャネル、下部ストロー開口部、および互いに流体接続された容器空洞を含み、膜空洞は、封入ストロー開口部、第２の封入ストローチャネル、および末端上部ストロー端と流体接続されない。
【００１２】
さらに別の特徴によれば、本発明の実施形態はまた、第１の封入ストローチャネル内に少なくとも部分的に配置された第１の一方向逆止弁、および、第２の封入ストローチャネル内に少なくとも部分的に配置された第２の一方向逆止弁を含む。
【００１３】
本発明の例示的な特徴によれば、第１および第２の一方向逆止弁はそれぞれ、平行な流れの向きで、可撓性ストローアセンブリの第１の部分および第２の部分に接続される。
【００１４】
さらに別の特徴によれば、本発明の実施形態はまた、前部封入開口部を画定するハウジングを有するプライミングバルブポンプアセンブリを含み、可撓性かつ弾性的に変形可能な膜がハウジングに密閉され前部封入開口部に重ね合わされる。
【００１５】
さらなる特徴によれば、本発明の実施形態はまた、内部にハウジングが配置された封入バルブ開口部を画定する側壁、それぞれプライミングバルブポンプアセンブリのハウジングの入口ポートおよび出口ポートを受容するように形成およびサイズ決定された第１のポート開口部および第２のポート開口部を画定する下壁、および内部に第２の部分が配置されたストローチャネル、を有する容器上部を含む。
【００１６】
別の特徴によれば、本発明の実施形態はまた、容器上部に選択的に回転可能に接続され、カバー移動経路に沿って回転し、かつ、容器上部と共に膜および可撓性ストローアセンブリの第２の部分を封入する閉位置、および、膜および可撓性ストローアセンブリの第２の部分を周囲環境に曝すカバー移動経路に沿った開位置を有するように動作可能に構成される、カバーを含む。
【００１７】
本発明によれば、ポンプ作動式供給容器は、底壁および底壁を取り囲む側壁を有し、上部開口部を画定する上端を有し側壁ネジがその上に配置された、手持ち式容器本体を含み、側壁および底壁は、容器空洞を画定する。アセンブリはまた、側壁ネジとロックされた関係で選択的に取り外し可能に係合するように動作可能に構成された上部ネジを備えた容器上部を含み、容器上部は、封入ストロー開口部を有する。アセンブリはまた、下部ストロー開口部を画定し第１の封入ストローチャネルを画定する下部ストロー端部を含む第１の部分、および、下部ストロー端部と対向し、上部ストロー開口部を画定し第２の封入ストローチャネルを画定する末端上部ストロー端部を含む第２の部分を備えた、可撓性ストローアセンブリを含む。さらに、アセンブリは、第１の一方向逆止弁および第２の一方向逆止弁を含んでもよい。また、プライミングバルブポンプアセンブリを使用してもよく、これは、水密構成で容器本体および容器上部の少なくとも１つに直接接続され、第１の一方向逆止弁を通って可撓性ストローアセンブリの第１の部分に直接接続される入口ポート、第２の一方向逆止弁を通って可撓性ストローアセンブリの第２の部分に直接接続される出口ポート、および膜空洞を画定する可撓性かつ弾性的に変形可能な膜を備える。膜１１４は、第２の封入ストローチャネルおよび上部ストロー開口部を通る液体の加圧流を誘導する膜陥凹移動経路を有し、かつ、第１の封入ストローチャネルおよび上部ストロー開口部を通る真空および液体の流れを誘導する膜解放移動経路を有するように動作可能に構成される。
【００１８】
本発明の例示的な特徴によれば、下部ストロー開口部は、容器本体の底壁の近位に配置され、上部ストロー開口部は、容器上部の外面の近位に配置される。
【００１９】
本発明は、ポンプ作動式供給アセンブリに具体化されるものとして本明細書に例示および記載されているが、それにもかかわらず、本発明の精神から逸脱することなく請求項の均等物の範囲および程度内で様々な修正および構造変更を本明細書内で行うことができるため、示される詳細に限定されることを意図しない。さらに、本発明の例示的な実施形態の周知の要素は、詳細に説明されないか、または本発明の関連する詳細を曖昧にしないために省略される。
【００２０】
本発明の特性と見なされる他の特徴は、添付の請求項に記載されている。必要に応じて、本発明の詳細な実施形態が本明細書に開示される；しかしながら、開示された実施形態は、本発明の単なる例示であり、様々な形態で具体化することができることが理解されるべきである。したがって、本明細書に開示される特定の構造的および機能的詳細は、限定的であると解釈されるべきではなく、単に請求項の基礎として、および事実上任意の適切に詳細な構造で本発明を様々に利用することを当業者に教示するための代表的な基礎として解釈されるべきである。さらに、本明細書で使用される用語およびフレーズは、限定的ではなく、むしろ本発明の理解可能な説明を提供することを意図する。本明細書は、新規とみなされる本発明の特徴を定義する請求項で終了するが、本発明は、同様の参照番号が繰り越される図面と併せて以下の説明の検討からよりよく理解されると考えられる。図面の図は原寸に比例して描かれていない。
【００２１】
本発明が開示および説明される前に、本明細書で使用される用語は、特定の実施形態を説明することのみを目的としており、限定することを意図するものではないことを理解されたい。本明細書で使用される「ある（ａまたはａｎ）」という用語は、１つまたは複数として定義される。本明細書で使用される「複数」という用語は、２つまたは２つより多いものとして定義される。本明細書で使用される「別の」という用語は、少なくとも第２またはそれ以降として定義される。本明細書で使用される「含む」および／または「有する」という用語は、含む（すなわち、オープンランゲージ）と定義される。本明細書で使用される「接続された」という用語は、必ずしも直接ではなく、必ずしも機械的ではないが、結合されていると定義される。「提供する」という用語は、本明細書では、その最も広い意味で、例えば、一度にまたは一定期間に亘って、全体的または複数の部分で、物理的存在をもたらす／実現する、利用可能にする、および／または誰かまたは何かに供給するものと定義される。また、本明細書の説明の目的のために、「上」、「下」、「左」、「後」、「右」、「前」、「垂直」、「水平」という用語、およびそれらの派生語は、図中で方向付けられるものとして本発明に関するものであり、前記方向は装置のユーザの視点に基づいて変更され得るので、任意の特徴を特定の方向に限定するものとして解釈されるべきではない。さらに、前述の技術分野、背景、簡単な要約、または以下の詳細な説明に示されている任意の明示的または黙示的な理論に拘束されることは意図されない。
【００２２】
本明細書で使用される場合、「約」または「概算」という用語は、明示的に示されているかどうかにかかわらず、すべての数値に適用される。これらの用語は、概して、当業者が記載された値と同等であると考える（すなわち、同じ機能または結果を有する）数の範囲を指す。多くの場合、これらの用語には、最も近い有効数字に四捨五入された数値が含まれてもよい。この文書では、「長手」という用語は、容器の底部から容器の上部までの方向にかかる容器の細長い方向に対応する方向を意味すると理解されるべきである。
【００２３】
別個の視点に亘って同様の参照番号が同一または機能的に類似した要素を指し、以下の詳細な説明とともに本明細書に組み込まれてその一部を形成する、添付の図は、すべて本発明にしたがった、様々の実施形態をさらに例証し様々の原理および利点を説明するのに役立つ。
【図面の簡単な説明】
【００２４】
【図１】本発明の一実施形態によるポンプ作動式供給アセンブリの斜視図
【図２】図１に示されるポンプ作動式供給アセンブリの容器上部の斜視上向き図
【図３】図１に示されるポンプ作動式供給アセンブリの膜陥凹移動経路の側面図
【図４】図１に示されるポンプ作動式供給アセンブリの別の膜陥凹移動経路の側面図
【図５】図１に示されるポンプ作動式供給アセンブリの容器上部の断面図
【図６】図１に示されるポンプ作動式供給アセンブリの分解図
【発明を実施するための形態】
【００２５】
本明細書は、新規と考えられる本発明の特徴を定義する請求項で終了するが、本発明は、同様の参照番号が繰り越される図面と併せて以下の説明を検討することからよりよく理解されると考えられる。開示された実施形態は、本発明の単なる例示であり、様々な形態で具体化することができることが理解されるべきである。
【００２６】
本明細書に記載の本発明は、この一般的なタイプのそれらの既知の装置および方法の既知の欠点を克服し、容器内から液体を選択的に放出するように動作可能に構成されるポンプ作動式供給容器を提供する。この容器は、子供、障害者の供給プロセス、および／または他の目的および用途においてユーザを楽にすることを有利に可能とする。本発明は、ポンプ作動式供給容器に具体化されるものとして本明細書に例示および記載されているが、それにもかかわらず、本発明の精神から逸脱することなく様々な修正および構造変更を行うことができるため、示される詳細に限定されることを意図しない。さらに、本発明の例示的な実施形態の周知の要素は、詳細に説明されないか、または本発明の関連する詳細を曖昧にしないために省略される。
【００２７】
図１を参照すると、本発明の一実施形態が斜視図で示されている。図１は、他の図と共に、本発明のいくつかの有利な特徴を示しているが、以下に説明するように、本発明は、いくつかの形状、サイズ、特徴および構成要素の組合せ、および構成要素の様々な数および機能で提供することができる。図１に示されるような、ポンプ作動式供給アセンブリ１００の第１の例は、手持ち式容器本体１０２、容器上部１０４、およびカバー１１６を含む。図１および図６に示されるように、アセンブリ１００はまた、２つの対向するハンドル部分６２０、６２２、および、容器本体１０２または容器上部１０４の上端を受容するように成形およびサイズ決定された環状中心開口部を有する、ハンドル６１８を含み得る。容器本体１０２、容器上部１０４、およびカバー１１６は、実質的に剛性の材料、例えば、高密度ポリエチレン（ＨＤＰＥ）などのポリマー材料のものでもよい。
【００２８】
ここで、図１−２および図６を参照すると、容器アセンブリ１００はまた、水密構成で容器本体１０２または容器上部１０４のいずれかに直接接続された可撓性ストローアセンブリ２０２およびプライミングバルブポンプアセンブリ１１２を含む（図は、容器本体１０２に直接接続されたプライミングバルブポンプアセンブリ１１２を示しているが）。有利には、プライミングバルブポンプアセンブリ１１２の可撓性かつ弾性的に変形可能な膜１１４は、可撓性ストローアセンブリ２０２を通して真空および圧力を誘導するように動作可能に構成される。
【００２９】
容器アセンブリ１００は、底壁１０６および底壁１０６を取り囲む側壁１０８を含み、側壁１０８および底壁１０６は、液体物質、例えば、ベビーフード、調合乳、水、およびその他の液体ベースの物質（本明細書では流体とも称される）を保持するようにサイズ決定された容器空洞５００（図５に最もよく示される）を画定する。側壁１０８は、上部開口６０２を画定する上端６００（これは末端であり得る）を含み、容器空洞５００へのアクセスを提供する。容器上部１０４は、容器本体１０２と接続するように動作可能に構成される。一実施形態では、容器上部１０４は、ネジ付き構成を使用することにより、水密構成で容器本体１０２に固定されるように動作可能である。他の実施形態では、容器上部１０４および容器本体１０２は、ポリマーシールの使用を採用しうるさねはぎ（tongue-and-groove）構造、または、容器上部１０４がそれにしっかりと保持される、すなわち保持構成を有する別の結合構成を使用して係合されうる。本明細書で使用される場合、「壁」という用語は、連続構造、並びに、互いに接続されて実質的に連続した外面を形成する別個の構造を包含することを広く意図される。
【００３０】
容器上部１０４はまた、１つまたは複数の封入ストロー開口部、例えば開口部２００を含んでもよく、これは、可撓性ストローアセンブリ２０２が通過して突出するための手段を提供する。いくつかの実施形態では、ストロー開口部は、可撓性ストローアセンブリの一部がその中に配置される場合、容器がひっくり返されたときまたは逆さまになったときに容器内に収容された液体が不注意に放出されるのを防ぐために水密または密封されるように構成され得る。可撓性ストローアセンブリ２０２は、容器空洞５００に収容された液体をユーザに運ぶように動作可能であり、プライミングバルブポンプアセンブリ１１２は、本明細書で論じられるように液体の搬送を選択的に誘導するように動作可能である。
【００３１】
図１−３および図６を参照すると、可撓性ストローアセンブリ２０２は、容器本体１０２の底壁１０６の近位に（すなわち、約２〜３インチ（０．０５０８〜０．０７６２メートル）にまたはその範囲内に）配置された下部ストロー開口部２０６を画定する下部ストロー端部２０４を含む第１の部分６０４を含み得る。第１の部分６０４はまた、容器空洞５００に収容された液体の搬送を可能にする第１の封入ストローチャネル３００を画定する。可撓性ストローアセンブリ２０２はまた、下部ストロー端部２０４に対向する、末端上部ストロー端部２０８を含む第２の部分６０６を含む。第２の部分６０６はまた、容器上部１０４の外面３０４の近位に（すなわち、約２〜３インチ（０．０５０８〜０．０７６２メートル）にまたはその範囲内に）に配置された上部ストロー開口部１１０を画定する。第２の部分６０６はまた、容器空洞５００に収容された液体の搬送を可能にする第２の封入ストローチャネル３０２を画定する。可撓性ストローアセンブリ２０２は、下部ストロー端部と上部ストロー端部とを分離する封入ストローチャネルを集合的に画定することができ、それにより、液体は、漏れが最小限であるかまたは全くなしで、下部ストロー端部２０４から上部ストロー端部２０８に搬送されるように動作可能に構成される。
【００３２】
図１および図５−６に最もよく示されるように、カバー１１６は、ストローアセンブリ２０２の第２の部分６０４を曲げ、保護し、封入するために選択的に回転するように動作可能に構成されてもよく、第２の部分６０４は、ポリプロピレンまたはポリスチレンなどの可撓性ポリマー材料のものでもよい。カバー１１６は、容器上部１０４に接続されてもよく、カバー移動経路５０６に沿って回転し、容器上部１０４と共に膜１１４および可撓性ストローアセンブリ２０２の第２の部分６０６を封入する閉位置を有するように動作可能に構成されてもよい。カバー移動経路５０６はまた、膜１１４および可撓性ストローアセンブリ２０２の第２の部分６０６を周囲環境に露出させるカバー移動経路５０６に沿った開放位置を含む。別の言い方をすれば、カバー１１６の開位置への移動によって、ストローアセンブリの第２の部分６０４およびプライミングバルブポンプアセンブリ１１２がユーザに容易にアクセス可能となる。
【００３３】
図１、図３、および図５−６を参照すると、プライミングバルブポンプアセンブリ１１２は、膜空洞５０２を画定する、可撓性かつ弾性的に変形可能な膜１１４を含む。有利には、膜１１４は、第２の封入ストローチャネル３０２および上部ストロー開口部１１０を通る液体の加圧流（矢印３０８で表される）を誘導する膜陥凹移動経路３０６（図３に示される）を有するように動作可能に構成される。膜１１４はまた、第１の封入ストローチャネル３００および上部ストロー開口部１１０を通る真空および液体の流れ（矢印４０２で表される）を誘導する膜解放移動経路４００（図４に示される）を有するように動作可能に構成される。
【００３４】
プライミングバルブポンプアセンブリ１１２は、前部封入開口５０６を画定するハウジング５０４を含んでもよく、可撓性かつ弾性的に変形可能な膜１１４は、ハウジング５０４に密閉または水密されてもよい。膜１１４はまた、前部封入開口５０６に重ね合わされてもよい。ハウジング５０４は、接着剤などの１つまたは複数の留め具を使用することにより、水密構成で容器アセンブリに直接接続することができる。一実施形態では、プライミングバルブポンプアセンブリ１１２の膜１１４は、容器本体１０２の側壁１０８の外面に有利に配置されるか、または容器本体１０２を把持するときにユーザの指により容易にアクセスされるように容器上部１０４の側壁６１２上で外向きに配向される。ユーザの片手で容器本体１０２上を保持する（および潜在的に利用する）ことを容易にするために、容器本体１０２は、１つまたは複数の摩擦誘導パネル６２６を含んでもよい。
【００３５】
静止位置にある場合、膜１１４によって画定される膜空洞５０２は、約０．０４〜１インチ３（約０．６６〜約１６．３９ｃｍ３）の体積を有し得る。他の実施形態では、内部容積は、上記の範囲外であり得る。いくつかの実施形態では、収容流体の流れを誘導するために移動可能な原動機を利用して、レバー作動ピストンポンプアセンブリを、プライミングバルブアセンブリ１１２の代わりに利用することができる。一実施形態では、膜１１４は、可撓性かつ弾性的に変形可能なポリマー材料、例えば、ＰＶＣ、ＨＤＰＥ、またはポリプロピレンであり得る。第２のストロー部分６０４またはストローアセンブリ２０２は、容器の内側から末端の第２のストロー端部２０８への移動を達成するためにその中に配置された一方向弁を含み得る。
【００３６】
使用が所望の場合、ユーザは、末端の第２のストロー端部２０８を、ユーザ、例えば、子供の口の近位、口に、または口の中に配置する。次に、ユーザは、膜１１４を約０．２５〜３ｌｂｆ（約０．１１〜約１．３６ｋｇｆ）で押し下げ、それによってそれを変形させ、それを変形位置（図４に最もよく示される）に配置して、プライミングバルブポンプアセンブリ１１２内の内部容積５０２を減少させる。膜１１４はまた、本質的に弾性または弾力性であり得、ユーザが膜１１４に加えられた力を解放すると、封入ストローチャネル３００を画定する第１のストロー部分６０４内に真空が誘導され、それによって容器本体１０２に収容された液体が受容され、プライミングバルブポンプアセンブリ１１２によって画定された空洞５０２内に収容された流体が存在する場合、プライミングバルブポンプアセンブリ１１２内の前記流体が、第２のストロー部分６０４によって画定されたチャネルを通過され、末端上部ストロー端部２０８によって画定される上部ストロー開口部１１０を通して押し出される。別の言い方をすれば、プライミングバルブポンプアセンブリ１１２は、容器本体１０２内の所望の量の収容された液体を、受け取り側のユーザに選択的に放出するように動作可能に構成される。ユーザは、上部ストロー開口部１１０から放出したい液体の測定された投与量または所望の量に基づいて、プライミングバルブポンプアセンブリ１１２の膜１１４を手動かつ選択的に押し下げ／解放し続ける。有利には、受け取り側のユーザに手動で供給することが望ましくない場合、容器アセンブリ１００を従来通りに利用することができ、それにより、受け取り側のユーザは、末端の上部ストロー端部２０８に吸引力を加えて、容器本体１０２内の収容流体を除去する。容器空洞５００内に収容された液体の手動除去は、有利には、液体流路内に有利に配置され、隣接し、プライミングバルブポンプアセンブリ１１２の上流および下流に配置された一方向逆止弁６０８、６１０によって達成される。
【００３７】
一実施形態では、膜陥凹移動経路３０６（図３に示される）は、第２の封入ストローチャネル３０２および上部ストロー開口部１１０を通る液体の加圧流だけを誘導する。対照的に、膜解放移動経路４００（図４に表される）は、第１の封入ストローチャネル３００、および対応して、膜空洞５０２を通る真空および液体の流れだけを誘導する。いくつかの実施形態では、ハウジング５０４は、容器上部１０４内に受容されるように赤経およびサイズ決定された入口ポート２１０および出口ポート２１２を含む。容器上部１０４はまた、ハウジング５０４がその中に配置された封入バルブ開口部６１４を画定する側壁６１２、プライミングバルブポンプアセンブリ１１２のハウジング５０４の入口ポート２１０および出口ポート２１２をそれぞれ受容するように成形およびサイズ決定された第１のポート開口部および第２のポート開口部を画定する下壁６１４を含み得る。ハウジング５０４は、バルブ開口６１４内に受容されてもよく、膜１１４は、ハウジング５０４によって画定される開口５０２上に配置され、保持キャップ６２４によって所定の位置に保持される。
【００３８】
膜陥凹移動経路３０６はまた、互いに流体接続された膜空洞５０２、出口ポート２１２、封入ストロー開口部２００、第２の封入ストローチャネル３０２、および末端の上部ストロー端部２０８、および、第１の封入ストローチャネル３００、下部ストロー開口部２０６、および容器空洞５００と流体接続されない封入ストロー開口部２００を含む。別の言い方をすれば、膜放出移動経路４００は、互いに流体接続された膜空洞５０２、入口ポート２１０、第１の封入ストローチャネル３００、下部ストロー開口部２０６、および容器空洞５００、および、封入ストロー開口２００、第２の封入ストローチャネル３０２、および末端上部ストロー端部２０８と流体接続されない膜空洞５０２を含む。同じことを達成するために、アセンブリ１００は、１つまたは複数の一方向逆止弁を含み得る。
【００３９】
一実施形態では、第１の一方向逆止弁６０８は、第１の封入ストローチャネル３００内に少なくとも部分的に配置されてもよく、ストロー部分６０４の上端および入口ポート２１０に直接接続されてもよい。第２の一方向逆止弁６１０はまた、第２の封入ストローチャネル３０２内に少なくとも部分的に配置されてもよく、出口ポート２１２に直接接続さてもよい。加圧された液体をプライミングバルブポンプアセンブリ１１２からストロー部分６０６の遠位開口１１０に効果的に搬送するために、第２の部分６０６は、Ｕ字形の部分を含み得る。第１および第２の一方向逆止弁６０８、６１０は、それぞれ、可撓性ストローアセンブリ２０２の第１の部分６０４および第２の部分６０６に、平行な流れ方向で接続されてもよい、すなわち、第１および第２の一方向逆止弁６０８、６１０は、下部開口部２０６から上部開口部１１０への下流の流体の流れのみを可能にする。本発明のいくつかの実施形態では、プライミングバルブポンプアセンブリ１１２は、一方向弁の代わりに、成形内部フラッパーチャネルおよびその中に配置されたバルブを有する内部フラッパーの使用を採用してもよい。前記実施形態では、膜陥凹移動経路３０６は、成形内部フラッパーチャネルおよび弁を開いて、膜空洞５０２に収容された液体を、それを通過して遠位開口１１０に向かって上方に流れさせる。膜解放移動経路４００に配置される場合、膜空洞５０２内に真空が生成され、それにより、成形内部フラッパーチャネルおよびバルブが閉じられ、フラッパーが移動され、容器空洞からの液体の流れが、第１のストロー部分６０４、フラッパーの外面を通過し、膜空洞５０２内に開かれる。
【００４０】
図１−２および図５−６最もよく見られるように、容器上部１０４は、ハウジング５０４がその中に配置された、封入バルブ開口部６１４を画定する側壁６１２を含む。また、容器上部１０４は、プライミングバルブポンプアセンブリ１１２のハウジング５０４の入口ポート２１０および出口ポート２１２をそれぞれ受容するように成形およびサイズ決定された第１のポート開口部および第２のポート開口部を画定する下壁６１４を含む。容器上部１０４はまた、第２の部分６０６がその中に配置されたストローチャネル６１６を含む。
【００４１】
プロセスの工程を実行する特定の順序が記載されているが、工程を実行する順序は、特定の実施形態に示される順序に対して変更することができる。また、いくつかの実施形態では、上記の２つ以上のステップを同時に、または部分的に同時に実行することができる。簡潔にするために、特定の手順を省略してもよい。いくつかの実施形態では、プロセス工程のいくつかまたはすべてを単一のプロセスに組み合わせることができる。
【００４２】
本開示の範囲から逸脱することなく、議論された例示的な実施形態に対して様々な修正および追加を行うことができる。例えば、上記の実施形態は特定の特徴に言及しているが、本開示の範囲はまた、特徴の異なる組合せを有する実施形態および上記の特徴のすべてを含まない実施形態を含む。
【図１】
2021529644.tif 000003
【図２】
2021529644.tif 000004
【図３】
2021529644.tif 000005
【図４】
2021529644.tif 000006
【図５】
2021529644.tif 000007
【図６】
2021529644.tif 000008
【国際調査報告】
2021529644.tif 000009